(57)【要約】  長手方向及び横断方向において連続的な着用可能物品であって、前側弾性ベルト領域と、後側弾性ベルト領域と、股部領域と、腰部開口部と、２つの脚部開口部とを備え、股部領域は、前側弾性ベルト領域と後側弾性ベルト領域との間で長手方向に延在し、  本明細書の測定値によれば、前側弾性ベルト領域はＡ１の面積を有し、股部領域はＡ２の面積を有し、後側弾性ベルト領域はＡ３の面積を有し、前側弾性ベルト領域は前側配置距離Ｌ８を有し、後側弾性ベルト領域は、後側配置距離Ｌ９を有し、  Ａ１、Ａ２及びＡ３の合計は、約１２５０ｃｍ２〜約１４００ｃｍ２であり、Ａ３＞Ａ１＞Ａ２の関係を有し、  Ｌ８とＬ９との比は約０．８以下である、着用可能物品が開示される。
2020527427.tif 000002
【特許請求の範囲】
【請求項１】
長手方向及び横断方向において連続的な着用可能物品であって、前側弾性ベルト領域と、後側弾性ベルト領域と、股部領域と、腰部開口部と、２つの脚部開口部と、を備え、前記股部領域は、前記前側弾性ベルト領域と前記後側弾性ベルト領域との間で長手方向に延在し、
本明細書の測定値によれば、前記前側弾性ベルト領域はＡ１の面積を有し、前記股部領域はＡ２の面積を有し、前記後側弾性ベルト領域はＡ３の面積を有し、前記前側弾性ベルト領域は前側配置距離Ｌ８を有し、前記後側弾性ベルト領域は、後側配置距離Ｌ９を有し、
Ａ１、Ａ２及びＡ３の合計は、約１２５０ｃｍ２〜約１４００ｃｍ２であり、Ａ３＞Ａ１＞Ａ２の関係を有し、
Ｌ８とＬ９との比は約０．８以下である、着用可能物品。
【請求項２】
Ａ１とＡ２との比は約１〜約１．５であり、Ａ２とＡ３との比は約０．７未満である、請求項１に記載の物品。
【請求項３】
前記股部領域の横方向長さＬ１は、本明細書の測定値によれば、約１５０ｍｍ〜約２１０ｍｍ、好ましくは約１８０ｍｍ〜約１９０ｍｍである、請求項１又は２に記載の物品。
【請求項４】
前記前側弾性ベルト領域と前記後側弾性ベルト領域は同じ有効ベルト幅Ｌ４を有し、前記股部領域の横方向長さＬ１と前記有効ベルト幅Ｌ４との比は、本明細書の測定値によれば、約０．７以下、好ましくは約０．４９〜約０．６１である、請求項３に記載の物品。
【請求項５】
前記股部領域は、前記股部領域において少なくとも部分的に長手方向軸線に沿って延在する一対の脚部弾性材を備え、また、本明細書の測定値によれば、約１５０ｍｍ〜約２１０ｍｍ、好ましくは約１６０ｍｍ〜約１９０ｍｍの外側脚部弾性材間隔Ｌ１０を有する、請求項３に記載の物品。
【請求項６】
前記物品は、本明細書の測定値によれば、約２Ｎ以上の適合周長力を有する、請求項１〜５のいずれか一項に記載の物品。
【請求項７】
前記物品は、中央シャーシと、前記前側弾性ベルト領域及び前記後側弾性ベルト領域を備える環状弾性ベルトと、から形成され、前記前側弾性ベルト領域の中心は、前記中央シャーシの前側腰部パネルに接合され、前記後側弾性ベルト領域の中心は、前記中央シャーシの後側腰部パネルに接合され、前記前側及び後側弾性ベルト領域はそれぞれ、前記中央シャーシが重ならない左側パネル及び右側パネルを有し、前記前側及び後側弾性領域はそれぞれ、内側シートと、外側シートと、それらの間に挟まれた複数の弾性ストランドとの積層体であり、前記内側シートと前記外側シートとの間に挟まれた前記弾性ストランドの全てが、互いに実質的に平行な前記横断方向に延び、
前記前側弾性ベルト領域のベルト側縁部の長さの全体が、前記後側弾性ベルト領域のベルト側縁部の特定の長さと継ぎ合わされて、シーム長さＬ５が規定され、
前記前側ベルト領域は４つの区域に分割され、該区域は、前記横断方向に延びると共に、前記シーム長さＬ５のパーセンテージに対する遠位縁部から近位縁部への位置によって規定され、０〜３０％は腰部区域であり、３０〜５０％は遠位腹部区域であり、５０〜８５％は近位腹部区域であり、８５〜１００％は脚部区域であり、
前記後側弾性ベルト領域は３つの区域に分割され、該区域は、前記横断方向に延びると共に、前記シーム長さＬ５のパーセンテージに対する遠位縁部から近位縁部への位置によって規定され、０〜３０％は腰部区域であり、３０〜７５％は腹部区域であり、７５〜１００％は脚部区域である、請求項１〜６のいずれか一項に記載の物品。
【請求項８】
前記後側腹部区域の引張り応力は、他のいかなる区域の引張り応力よりも大きい、請求項７に記載の物品。
【請求項９】
前記股部領域は、トップシートと、バックシートと、前記トップシートと前記バックシートとの間に位置付けられた吸収性コアと、を含む吸収性コアを備え、前記吸収性コアは、吸収性層と捕捉層とを更に含み、前記吸収性層はセルロースを実質的に含まない、請求項１〜８のいずれか一項に記載の物品。
【請求項１０】
前記吸収性層は、長手方向に延在するチャネルを備え、前記チャネルは吸収性材料を実質的に含まない、請求項９に記載の物品。
【請求項１１】
チャネルが、前記捕捉層内に更に形成され、前記捕捉層の前記チャネルは、厚さ方向において前記吸収性層の前記チャネルと少なくとも部分的に一致する、請求項１０に記載の物品。
【請求項１２】
前記物品は、サイズ３又はサイズ４の乳児用おむつ物品である、請求項１〜１１のいずれか一項に記載の物品。
【発明の詳細な説明】
【技術分野】
【０００１】
本発明は、その構造的構成要素間で特定の寸法関係を有するパンツタイプの着用可能物品に関する。
【背景技術】
【０００２】
乳幼児、及び失禁症状のあるその他の個人は、尿及び他の身体排出物を受容及び収容する吸収性物品（おむつなど）を着用する。プルオン型吸収性物品、すなわちパンツタイプの吸収性物品は、着用者の両脚を脚部開口部に挿入し、物品を下部胴体あたりの位置まで上方に滑らせることによって着用される物品である。パンツタイプの吸収性物品は、歩くことができて多くの場合トイレのトレーニング中の小児用として、及びテープ式タイプの吸収性物品をつけさせるのがより困難になりがちな、より動きの激しい幼児用、また腰部開口部及び脚部開口部の周囲へのソフトなフィットを要する乳幼児用として広く普及している。
【０００３】
パンツタイプ物品は、腰部開口部及びその近傍の周囲が、着用者又は介護者が物品を展開し、物品を着用するために着用者の脚を脚部開口部内に挿入するのを容易にするのに十分な弾性を有するようにされている、様々な構造をとることができる。腰部周囲及びその近傍の領域は、多くの場合、弾性ベルトと呼ばれる。パンツタイプ物品の１つのタイプの構造は、着用者の股部領域を覆う中央シャーシと、国際公開第２００６／１７７１８Ａ号に記載されているような腰部開口部及び脚部開口部を画定する別個の弾性ベルトとを有するベルトタイプパンツである。パンツタイプ物品の別のタイプの構造は、物品の外側カバーが物品の衣類に面する表面全体を完全に覆うように構成された一体型パンツであり、胴体の周囲を伸長するように構成された部分は、弾性ベルト領域と見なされる。
【０００４】
パンツタイプ物品の構造がどのようなものであっても、パンツタイプ物品は、物品の構造上の制約に基づいて、サイズ調節又は本体構成調節を提供しないか、あるいは非常に狭い範囲でしか提供しない。したがって、パンツタイプ物品は通常、たるみ及び漏れに対する十分な保護がもたらされ得るように、非常に伸縮性が高く着用が快適でありながらも確実なフィット性を備えた弾性ベルト領域を設けることによって、サイズ及び構成範囲に適応するように構成される。更に、弾性ベルト領域は、使用時に着用者又は介護者によって最もよく触れられ観察される部分であり得、したがって、弾性ベルト領域の特性は、物品の品質に最も高い関連性を有する。品質について言えば、望まれ得るものは、下着のような一体的な外観及び感触である。
【先行技術文献】
【特許文献】
【０００５】
【特許文献１】国際公開第２００６／１７７１８Ａ号
【発明の概要】
【発明が解決しようとする課題】
【０００６】
上記に基づいて、快適性又は適用の容易さを損なうことなく、広範囲の身体サイズにわたって改善されたフィット特性を提供する着用可能物品が必要とされている。また、経済的に作製され得る、改善された下着のような一体的な外観のこのような着用可能物品を提供する必要性も存在する。
【課題を解決するための手段】
【０００７】
本発明は、長手方向及び横断方向に連続的な着用可能物品であって、前側弾性ベルト領域と、後側弾性ベルト領域と、股部領域と、腰部開口部と、２つの脚部開口部と、を備え、股部領域は、前側弾性ベルト領域と後側弾性ベルト領域との間で長手方向に延在し、
本明細書の測定値によれば、前側弾性ベルト領域はＡ１の面積を有し、股部領域はＡ２の面積を有し、後側弾性ベルト領域はＡ３の面積を有し、前側弾性ベルト領域は前側配置距離Ｌ８を有し、後側弾性ベルト領域は、後側配置距離Ｌ９を有し、
Ａ１、Ａ２及びＡ３の合計は、約１２５０ｃｍ２〜約１４００ｃｍ２であり、Ａ３＞Ａ１＞Ａ２の関係を有し、
Ｌ８とＬ９との比は約０．８以下である。
【図面の簡単な説明】
【０００８】
本明細書は、本発明を構成するものと見なされる主題を具体的に指摘しかつ明確に特許請求する特許請求の範囲をもって結論とするが、本発明は、添付の図面と以下の説明文を併せ読むことで、より良く理解されるものと考えられる。添付図面においける同様の参照符号は、実質的に同一の要素を示すために用いられる。
【図１】本発明の着用可能物品の一実施形態の斜視図である。
【図２】シームが接合されておらず、平らな非収縮状態で衣類に面する表面を示す、本発明の着用可能物品の一実施形態の概略平面図である。
【図３Ａ】「物品の寸法測定」による特定の寸法を示す、シームが接合されておらず、平らな非収縮状態で衣類に面する表面を示す、本発明の着用可能物品の実施形態の概略平面図である。
【図３Ｂ】「物品の寸法測定」による特定の寸法を示す、シームが接合されておらず、平らな非収縮状態で衣類に面する表面を示す、本発明の着用可能物品の実施形態の概略平面図である。
【図３Ｃ】「物品の寸法測定」による特定の寸法を示す、シームが接合されておらず、平らな非収縮状態で衣類に面する表面を示す、本発明の着用可能物品の実施形態の概略平面図である。
【図３Ｄ】「物品の寸法測定」による特定の寸法を示す、シームが接合されておらず、平らな非収縮状態で衣類に面する表面を示す、本発明の着用可能物品の実施形態の概略平面図である。
【図３Ｅ】「物品の寸法測定」による特定の寸法を示す、シームが接合されておらず、平らな非収縮状態で衣類に面する表面を示す、本発明の着用可能物品の実施形態の概略平面図である。
【図４Ａ】平らな非収縮状態で衣類に面する表面を示す、本発明の着用可能物品の実施形態の概略平面図である。
【図４Ｂ】平らな非収縮状態で衣類に面する表面を示す、本発明の着用可能物品の実施形態の概略平面図である。
【図５】「物品全体力測定法」によるハンガータイプの試料保持固定具の一例の概略図である。
【０００９】
定義
本明細書で使用するとき、以下の用語は後に指定される意味を有するものとする。
【００１０】
「着用可能物品」とは、パンツ、テープ式おむつ、失禁者用ブリーフ、女性の生理用衣類などの形態であり得る着用物品を指す。「着用可能物品」は、尿、大便、及び経血など、身体から排出される様々な排出物を吸収し収容するようにも構成され得る。「着用可能物品」は、国際公開第２０１１／０８７５０３Ａ号に開示されているものなど、吸収及び収容機能を提供するための分離可能な使い捨ての吸収性インサートと接合されるように適合可能である、外側カバーとしての役割を果たし得る。
【００１１】
「パンツ」とは、予め形成された腰部及び脚部開口部を有する使い捨て吸収性物品を指す。パンツは、着用者の両脚を脚部開口部に挿入し、着用者の下部胴体の周囲の位置までパンツを滑らせることによって着用され得る。パンツは、通常、「閉じられたおむつ」、「予め締結されたおむつ」、「プルオンおむつ」、「トレーニングパンツ」、及び「おむつパンツ」とも呼ばれる。
【００１２】
「長手方向」とは、物品の腰部縁部から反対側の腰部縁部まで実質的に垂直に、かつ物品の最大直線寸法に略平行に延びる方向を指す。
【００１３】
「横方向」とは、長手方向に対して垂直な方向を指す。
【００１４】
「近位」及び「遠位」とは、それぞれ、物品の長手方向中心に対してより近い又はより遠い位置を指す。
【００１５】
「身体に面する」及び「衣類に面する」とは、それぞれ、要素、又は要素の表面、又は要素の群の相対位置を指す。「身体に面する」とは、要素又は表面が、何らかの他の要素又は表面よりも、着用時に着用者により近いことを意味する。「衣類に面する」とは、要素又は表面が、何らかの他の要素又は表面よりも、着用時に着用者からより遠く離れている（すなわち、要素又は表面が、使い捨て吸収性物品の上に着用され得る着用者の衣類に対して近位にある）ことを意味する。
【００１６】
「配置される」とは、要素が、ある特定の場所又は位置に置かれていることを指す。
【００１７】
「接合される」とは、１つの要素を他の要素に直接付着させることによって、その要素が他の要素に直接貼り付けられている構成、及び要素を中間部材に付着させ、その中間部材が次に他の要素に貼り付けられていることによって、その要素が他の要素に間接的に貼り付けられている構成を指す。
【００１８】
「フィルム」とは、材料の長さ及び幅が材料の厚さを大きく上回るシート状材料を指す。一般的には、フィルムは約０．５ｍｍ以下の厚さを有する。
【００１９】
「透水性」及び「不透水性」は、使い捨て吸収性物品の所期の使用の状況における、材料の浸透性を指す。具体的には、用語「透水性」とは、層又は層構造体が、押し圧がない状態で、液体の水、尿又は合成尿が層又は層構造体の厚さを通過可能な、孔、開口部及び／又は相互に接続された空隙を有していることを指す。反対に、用語「不透水性」とは、層又は層構造体が、（重力などの自然の力の他に）押し圧がない状態では、液体の水、尿又は合成尿が層又は層構造体の厚さを通過できないことを指す。この定義による不透水性の層又は層状構造は、水蒸気に対して透過性であってもよい、すなわち、「蒸気透過性」であってもよい。
【００２０】
「延伸性」及び「延伸可能な」とは、弛緩状態における構成要素の幅又は長さを延伸又は増大させることができることを意味する。
【００２１】
「伸縮性がある」又は「伸縮性を持たせた」とは、構成要素が弾性材から作製された少なくとも一部分を含むことを意味する。
【００２２】
「伸長性材料」、「延伸性材料」、又は「伸縮性材料」は互換的に使用され、付勢力を加えると、破裂又は破断することなく、ＥＤＡＮＡ法２０．２−８９で測定される弛緩した元の長さの少なくとも約１１０％の伸長した長さまで伸張でき（すなわち、元の長さよりも１０％長く伸張でき）、加えた力を除くと、完全に破裂又は破断することなく、その伸びの約２０％未満というわずかな回復を示す材料を指す。加えた力を解放した際に、そのような伸長性材料が、その伸びの少なくとも４０％回復する場合、その伸長性材料は、「弾性」又は「エラストマー性」であると見なされる。例えば、１００ｍｍの初期長さを有する弾性材料は、少なくとも１５０ｍｍまで延伸することができ、力を取り除くと少なくとも１３０ｍｍの長さまで収縮する（すなわち、４０％の回復を示す）。加えた力を解放した際に、材料の回復が、その伸びの４０％未満である場合、その伸長性材料は、「実質的に非弾性」又は「実質的に非エラストマー性」であると見なされる。例えば、１００ｍｍの初期長さを有する伸長性材料は、少なくとも１５０ｍｍまで延伸することができ、力を取り除くと少なくとも１４５ｍｍの長さまで収縮する（すなわち、１０％の回復を示す）。
【００２３】
「アートワーク」とは、印刷又は他の方法で提供され、色を有する、裸眼への視覚的表示を指す。印刷は、リソグラフィ、スクリーン印刷、フレキソ印刷、及びグラビアインクジェット印刷技術などの当業者に周知の様々な方法及び装置を含む。
【００２４】
本明細書において、「色」又は「着色」という用語は、白色以外のいずれかの原色、すなわち、黒色、赤色、青色、紫色、オレンジ色、黄色、緑色及びインディゴ色、並びにそれらの淡色又は混合色のいずれかを含み得る。白色は、ＣＩＥ  Ｌ＊ａ＊ｂ＊表色系により、少なくとも９４のＬ＊値、０±２に等しいａ＊値、０±２に等しいｂ＊値を有する色として定義される。
【発明を実施するための形態】
【００２５】
図１は、本発明の着用可能物品２０の一実施形態の斜視図であり、図２は、シームが接合されておらず、平らな非収縮状態で衣類に面する表面を示している、同じ物品の概略平面図である。着用可能物品２０は、長手方向軸線としての役割も果たす長手方向中心線ＬＸと、横断方向軸線としての役割も果たす横断方向中心線ＴＸとを有する。着用可能物品２０は、身体に面する表面と、衣類に面する表面と、前側弾性ベルト領域８４が存在する前側領域２６と、後側弾性ベルト領域８６が存在する後側領域２８と、股部領域３０と、前側領域２６と後側領域２８とを接合して２つの脚部開口部及び腰部開口部を形成するサイドシーム３２と、を有している。
【００２６】
着用可能物品２０は、着用者の股部領域３０を覆う中央シャーシ３８と、前側ベルト８４及び後側ベルト８６（以下、「前側及び後側ベルト」と称されることがある）とを備える、図１及び２に示すようなベルトタイプパンツであってよく、前側及び後側ベルト８４、８６は、横断方向に延在して腰部開口部を画定する別個の環状弾性ベルト４０（以下、「腰部ベルト」と称されることがある）を形成する。ベルトタイプパンツの場合、別個の環状弾性ベルト４０はまた、弾性ベルト領域４０と称されることがある。図１、２、３Ａ及び３Ｂに示すようなベルトタイプパンツの場合、前側及び後側ベルトベルト８４、８６、並びに中央シャーシ３８が、一体となって脚部開口部を画定する。着用可能物品２０は、中央シャーシ３８の側縁部が湾曲している、図３Ｃのようなパンツであってもよく、その湾曲した周囲が、脚部開口部の大部分を画定する。
【００２７】
中央シャーシ３８は、トップシート、バックシート６０、及びトップシートとバックシート６０との間に配置される吸収性コア６２を備え、更にはバックシート６０の衣類に面する側を覆うための外側カバー層４２を備え得る。トップシートは、透水性基材であってもよい。バックシートは、不透水性フィルムであってもよい。外側カバー層４２は、不織布シートであってよい。中央シャーシ３８は、中央シャーシ３８上に配置された身体排出物を吸収及び収容するための吸収性コア６２と、吸収性コア６２の周辺部を囲む吸収性材料非存在領域６１とを含み得る。吸収性材料非存在領域６１は、トップシート及び／又はバックシート及び／又は外側カバー層４２及び／又は中央シャーシ３８を構成する他の部分から作製されてもよい。図２に示される実施形態では、中央シャーシ３８は略矩形であり、左右の長手方向に延在する側縁部４８（以下、「側縁部」と称されることがある）と、前側及び後側の横断方向に延在する端縁部５０（以下、「端縁部」と称されることがある）とを有する。吸収性コア６２は、股部領域の長手寸法全体にわたって存在し、少なくとも部分的に前側弾性ベルト領域８４内に延在してもよく、あるいは、少なくとも部分的に前側及び後側弾性ベルト領域８４、８６内の両方に延在してもよい。中央シャーシ３８は、吸収性物品２０の前側領域２６内に位置付けられた前側腰部パネル５２と、後側領域２８内に位置付けられた後側腰部パネル５４と、股部領域３０内で前側腰部パネル５２と後側腰部パネル５４との間にある股部パネル５６と、を有し得る。前側ベルト８４の中心部は中央シャーシ３８の前側腰部パネル５２に接合され、後側ベルト８６の中心部は中央シャーシ３８の後側腰部パネル５４に接合され、前側及び後側ベルト８４、８６はそれぞれ、中央シャーシ３８が重ならない左側パネル及び右側パネル８２を有する。中央シャーシは、前側腰部パネル５２と後側腰部パネル５４との間に位置付けられた股部パネル５６を有する。前側及び後側ベルト８４、８６は、長手方向において互いに不連続であってもよい。
【００２８】
吸収性コア６２は、吸収層及び捕捉層を含んでもよい。吸収性層は、超吸収性ポリマーなどの高い保持容量を有する吸収性材料が存在する領域である。吸収性層は、セルロースを実質的に含まなくてもよい。吸収性層の超吸収性ポリマーは、熱可塑性接着剤材料の繊維層によって不動化される第１の材料層と第２の材料層との間に配置されてもよい。第１及び第２の材料層は、ＰＥ、ＰＥＴ、及びＰＰの単成分繊維、サイドバイサイド、コア／シース、又はアイランドインザシー型繊維などの多成分繊維などの合成繊維を含む、不織布繊維ウェブであってもよい。そのような合成繊維は、スパンボンドプロセス又はメルトブロープロセスを介して形成されてもよい。捕捉層は、身体排出物の捕捉及び分配を促進し、トップシートと吸収性層との間に配置され得る。捕捉層は、セルロース繊維を含んでもよい。
【００２９】
吸収性層は、吸収性コア６２内に複数配置されてもよい。吸収性層の一部分は、チャネル又は複数のチャネルを形成するために吸収性材料を実質的に有さないように構成されてもよい。チャネルは、吸収性物品が膨張後に着用者の身体にぴったり一致し、物品のたるみを防止するように、吸収性コアが流体で膨潤すると屈曲することを可能にするのに有用であり得る。チャネルはまた、捕捉層内に形成されてもよく、吸収性層のチャネルと厚さ方向に少なくとも部分的に一致するように構成されてもよい。
【００３０】
本発明の物品の弾性ベルト領域４０は、嵌合力を動的に生成し、着用中に動的に発生する力を分配するように作用する。前側及び後側ベルト８４、８６は、側縁部８９のみにおいてシーム３２で互いに接合されて、腰部開口部及び２つの脚部開口部を有する着用可能物品を形成することができる。各脚部開口部は、脚部開口部の外周の周囲に弾性を備えてもよい。脚部開口部の周囲の弾性は、前側ベルト８４、後側ベルト８６、及び中央シャーシ３８からの弾性の組み合わせによって提供されてもよい。
【００３１】
バックシート及び外側カバー層４２の横断方向幅は、同じであってもよく、又は異ならせてもよい（図示せず）。例えば、バックシートは、外側カバー層４２の横断方向幅よりも短い横断方向幅を有してもよい。かかる構成により、脚部開口部の一部をなす股部パネル５６の長手方向側縁部４８は、より良好な通気性を有することができる。更に、かかる構成は、コストを削減することができる。
【００３２】
前側ベルト８４及び後側ベルト８６は、ベルト４０に弾性を付与するように構成されている。前側ベルト８４及び後側ベルト８６はそれぞれ、横断方向に延びる複数の弾性体９６と、内側シート９４と、外側シート９２と、外側シート折返し部（図示せず）とを含む積層体によって形成されてもよく、外側シート折返し部は、外側シート材料を前側及び後側ベルトの遠位縁部８８で折り畳むことによって形成される外側シート材料の延長部である。ベルト状弾性体９６は、これらのシートの２つの間に挟まれている。前側ベルト８４及び後側ベルト８６はそれぞれ、弾性体９６、内側シート９４、外側シート９２、及び外側シート折返し部のみによって作製され得る。ベルト状弾性体９６は横断方向に延在して、前側ベルト８４及び後側ベルト８６が接合されるときに環状弾性ベルト４０をもたらす。少なくともいくつかの弾性体９６が、相互に略平行に横断方向に延在している。全ての弾性体９６が、相互に略平行に横断方向に延在してもよい。かかる物品は経済的に作製することができる。前側ベルト８４及び後側ベルト８６はそれぞれ、横断方向に連続する近位縁部及び遠位縁部を有し、近位縁部９０が物品の長手方向中心に対して遠位縁部８８よりも近くに配置されてもよい。弾性体９６は、前側と後側との間に同じ又は異なるデニール、間隔、及び力で、かつベルトの異なる長手方向位置に配置されてもよい。
【００３３】
本発明の物品は、改善されたフィット特性をもたらす一方で、依然として製造が経済的である寸法を有する。図３Ａ〜３Ｅは、シームが接合されておらず、平らな非収縮状態で衣類に面する表面を示す、本発明の着用可能物品の実施形態の概略平面図である。図３Ａ〜３Ｃでは、中央シャーシの外周は実線で示されているが、それらは前側及び／又は後側弾性ベルト領域の折り畳まれた材料によって覆われてもよい。
【００３４】
図３Ａ〜３Ｃを参照すると、本発明の物品は、本明細書の測定値によると、Ａ１の面積を有する前側弾性ベルト領域８４と、Ａ２の面積を有する股部領域と、Ａ３の面積を有する後側弾性ベルト領域８６と、を備えており、Ａ１、Ａ２及びＡ３の合計は約１２５０ｃｍ２〜約１４００ｃｍ２であり、Ａ３＞Ａ１＞Ａ２の関係を有している。すなわち、後側弾性ベルト領域の面積Ａ３は、前側弾性ベルト領域の面積Ａ１よりも大きく、前側弾性ベルト領域の面積Ａ１は股部領域の面積Ａ２よりも大きく、ここで、Ａ１＋Ａ２＋Ａ３は約１２５０ｃｍ２〜約１４００ｃｍ２である。更に、Ａ１とＡ２との比は、約１〜約１．５であってもよく、Ａ２とＡ３との比は、約０．７未満であってもよい。本発明の物品は、本明細書の測定によれば、前側配置距離Ｌ８を有する前側弾性ベルト領域８４と、後側配置距離Ｌ９を有する後側弾性ベルト領域８６とを備え、Ｌ８とＬ９との比は約０．８以下である。理論に束縛されるものではないが、物品の総面積Ａ１＋Ａ２＋Ａ３は比較的低い範囲であるが、前側領域２６に漏れ保護がもたらされると同時に、後側領域２８にはより少ない材料が設けられて通気性が高められるように、前側弾性ベルト領域８４よりも大きい後側弾性ベルト領域８６を設け、中央シャーシ３８を前側にシフトさせることによって、前側、股部及び後側領域における物品全体に十分な被覆範囲が存在すると考えられる。物品は、サイズ３又はサイズ４の乳児用おむつ物品であってもよい。地理的な違いにより、これらのサイズは、サイズＭ（サイズ３）及びサイズＬ（サイズ４）とも称され得る。
【００３５】
本発明の物品は、本明細書の測定値によれば、股部領域の横方向長さＬ１が約１５０ｍｍ〜約２１０ｍｍ、又は約１８０ｍｍ〜約１９０ｍｍであってもよい。理論に束縛されるものではないが、股部領域の横方向長さＬ１を比較的狭くすることによって、物品が荷重を受けた後も物品のフィット性が改善されると考えられる。本発明の物品は、本明細書の測定値によれば、前側弾性ベルト領域８４と後側弾性ベルト領域８６は、同じ有効ベルト幅Ｌ４を有してもよく、股部領域の横方向長さＬ１と有効ベルト幅Ｌ４との比は、約０．７以下、又は約０．４９〜約０．６１である。理論に束縛されるものではないが、弾性ベルト領域の横方向長さを固定するための材料を利用すると有利であると考えられる。
【００３６】
本発明の物品は、股部領域において少なくとも部分的に長手方向軸線に沿って延在する一対の脚部弾性材を含んだ中央シャーシ３８を備え、また、本明細書の測定値によれば、約１５０ｍｍ〜約２１０ｍｍ、又は約１６０ｍｍ〜約１９０ｍｍの外側脚部弾性材間隔Ｌ１０を有する。図３Ａ〜３Ｂを参照すると、本発明の物品は、長手方向軸線に沿って配された一対の脚部弾性材を有してもよく、直接測定され得る外側脚部弾性材間隔Ｌ１０を有してもよい。図３Ｃを参照すると、脚部弾性材は、中央シャーシ３０の湾曲した輪郭に沿って配置されてもよい。かかる構成の場合、Ｌ１０は、図３Ｃの領域Ｉの分解図である図３Ｄ〜３Ｅに従って得られ、それらの図においてレッグカフは実線で示されている。図３Ｄ〜３Ｅを参照すると、本発明の物品は、コア領域の横方向中心に向かって内側に湾曲した一対の脚部弾性材を有してもよい。これらの物品について、外側脚部弾性材間隔Ｌ１０は、以下に詳述する測定値に従って想定される。理論に束縛されるものではないが、股部領域の選択された横方向長さＬ１と外側脚部弾性材間隔Ｌ１０との組み合わせを設けることによって、物品が荷重を受けた後であっても物品のフィット性が改善されると考えられる。
【００３７】
前側及び／又は後側弾性ベルト領域８４、８６は、中央シャーシ３８の前側腰部パネル５２及び／又は後側腰部パネル５４と重なり合う領域の特定部分の弾性が除去されるように処理されてもよい。前側腰部パネル５２及び／又は後側腰部パネル５４の特定領域からの弾性の除去は、吸収性コア６２に重なり合う前側エリア及び／又は後側エリアの弾性は、吸収性層又は吸収性コア６２内のいずれかの層にひだを寄せ、中央シャーシ３８の着用者への密なフィットを妨げることがあるという点で、中央シャーシ３８が吸収性コア６２を含む場合に有利であり得る。少なくとも１つの、又は少なくとも半数の、又は少なくとも３分の２の弾性体の弾性の少なくとも一部、少なくとも１０％、又は少なくとも２０％、又は少なくとも３０％が、中央シャーシ３８の前側腰部パネル５２及び後側腰部パネル５４と重なり合う領域において除去されている。吸収性材料非存在領域６１に重なる弾性体９６は、中央シャーシ３８の良好なフィット性のために活性弾性で配置されてもよい。これは漏れを防止するのに有利であり得る。図２を参照すると、弾性体９６が吸収性コア６２と重なり合う領域全体がその弾性を除去されてもよい。あるいは、弾性体９６は、吸収性コア６２の遠位縁部に向かって、活性弾性で配置されてもよい。
【００３８】
図２及び３Ａ〜３Ｃを参照すると、後側弾性ベルト領域８６は、横断方向において、有効ベルト幅Ｌ４の全て又は一部に沿って前側弾性ベルト領域８４の前側ベルト長さＬ５よりも長いベルト長さＬ６を有してもよい。シーム長さが前側ベルト長さＬ５と同じとなるように、前側ベルト長さＬ５の全体が継ぎ合わされてもよい。着用可能物品が組み立てられて、腰部開口部及び脚部開口部が形成されるとき、着用可能物品２０は、前側遠位縁部８８が後側遠位縁部８８と揃えられるように、横方向中心線ＴＸに沿って折り畳まれる。前側側縁部８９も後側側縁部８９の一部分と位置合わせされる。次に、前側弾性ベルト領域８４及び後側弾性ベルト領域８６が、前側及び後側側縁部８９においてシーム３２で接合される。図３Ｂを参照すると、前側及び後側近位縁部９０は、サイドシームの近傍に後側ベルト８６のためのノッチを形成することによって、サイドシーム３２で整合され得る。図３Ａ及び３Ｃを参照すると、前側及び後側近位縁部９０は、互いに整列されなくてもよい。後側近位縁部９０は、後側側部パネル８２の近位部分が前側近位縁部９０を超えて中央シャーシ３８の股部パネル５６に向かって延在するように、横断方向中心線ＴＸに対して長手方向に前側近位縁部９０よりも近くに配置されてもよい。後側側部パネル８２の近位部分の側縁部は、どこにも接合されず、付着されていなくてもよい。このようにして、後側側部パネル８２の近位部分は、図１に示すような臀部カバー９５を提供する。
【００３９】
弾性ベルト領域４０は、物品の機能及び品質と密接に関連付けられ得る。したがって、弾性ベルト領域４０を形成する材料及び弾性ベルト領域の弾性プロファイルは、物品にとって望ましいものを提供するために、メーカーによって慎重に選択される。下着のような外観と、柔軟でクッションのような感触などの快適な触感が、高品質に関連付けられ得る。着用中の特定の力を維持して物品が装填後にたるむのを防止しつつ、伸張及び装着し易くすることもまた、高い機能に関連付けられ得る。前述の品質及び機能特性のバランスは、ユーザによる物品の好ましい全使用経験をもたらす。ユーザは、着用者又は介護者であってもよい。
【００４０】
サイドシームから観察される図３Ａの輪郭を有するベルトタイプパンツである図４Ａ及び４Ｂを参照すると、前側及び後側ベルト８４、８６の引張り応力（Ｎ／ｍ）がそれぞれ、本発明の利益を提供するために、プロファイルされ得る。引張り応力は、例えば、本明細書で後述するベルト区域引張り応力測定法によって測定されてもよい。前側及び後側ベルト８４、８６の弾力性が、横断方向に延びる複数の弾性体９６によって供給される場合、引張り応力は、次の方法のうちの１つ又は複数によって調整されてもよい。１）弾性体９６の伸び率；２）弾性体９６の密度（ｄｔｅｘ）；３）複数の弾性体９６の長手方向間隔；及び４）弾性体９６の横断方向における弾性の有効長さ。弾性体は、約４７０〜約１１００のｄｔｅｘを有し、かつ約１１０％〜約２９０％の伸び率で配置された弾性ストランドであってもよい。伸び率について言えば、「０％伸び率」とは、弾性体９６の元の長さを意味する。
【００４１】
いくつかの弾性体は、特定の領域においてより高い引張り応力を付与するように配置されてもよい。複数の弾性材が、他の領域と比較して相対的に高い又は低い引張り応力を付与するように集合的に配置されてもよい。前側ベルト長さＬ５の全体が継ぎ合わされるとき、このような集合的な弾性材は、本明細書では区域と称され、各区域は、横断方向に延在し、以下のように、前側ベルト長さＬ５又はシーム長さＬ５のパーセンテージに対する遠位縁部８８から近位縁部９０までの位置によって規定される。
【００４２】
【表１】
2020527427.tif 000003
【００４３】
高い引張り応力の区域は、アレイ内で２〜４ｍｍの間隔で２〜４個の弾性ストランドのアレイとして配置されてもよい。後側腹部区域１０５Ｂの引張り応力は、他のいかなる区域の引張り応力より大きくてよい。前側近位腹部区域１０６Ｆの引張り応力は、前側における他のいかなる区域の引張り応力よりも大きくてよく、あるいは前側遠位腹部区域１０４Ｆの引張り応力の約２００％以上であってよい。アレイは後側腹部区域１０５Ｂに配置されてもよい。アレイは、前側近位腹部区域１０６Ｆ上に配置されてもよい。
【００４４】
本発明の物品は、以下の物品全体力測定法により、好適な伸長周長力（Ｎ）を有し得る。伸長周長力とは、手を挿入し、物品を伸張させて開くときにユーザによって初期の伸張経験の感覚を模倣すると考えられる特定の伸張レベルでの負荷力を意味する。物品を伸張して開くときにユーザが感じると考えられる伸張レベルは、「４７０ｍｍ伸長周長」によって表される。４７０ｍｍの寸法は、出願人による研究に基づいて選択され、ここで、体重が６〜２０ｋｇの小児の恥骨と一致する高さでの平均起立臀部周囲（ｍｍ）は、１０００人を超える被験者からのデータに基づき、４７３ｍｍであった。すなわち、パンツ物品を着用するための一般的な習慣によると、ユーザは、パンツ物品の弾性ベルト領域を、着用者の身体の臀部周囲よりも大きく、又は小さい周囲まで伸張して開くだろう。体重６〜２０ｋｇは、サイズ３〜６（サイズＭ〜ＸＸＬ）のパンツ物品の着用者の推奨体重と一致する。本発明の物品は、伸長周長力が約７Ｎ以下、又は約６．５Ｎ以下、又は約６Ｎ以下である。このような伸長周長力を有することにより、弾性ベルトを容易に開き、適用することができる。理論に束縛されるものではないが、伸長周長力が小さいほど、弾性ベルト領域は、より小さな力で伸張することができるため、弾性ベルト領域のユーザによる知覚がより柔らかくなると考えられる。
【００４５】
本発明の物品は、以下の物品全体力測定法により、好適な適合周長力（Ｎ）を有し得る。適合周長力とは、物品を着用している間の着用者による力の感覚を模倣すると考えられる特定の伸張レベルでの負荷がかかっていない力である。物品を着用している間に着用者が感じると考えられる伸張レベルは、４７０ｍｍ伸長周長によっても表される。本発明の物品は、適合周長力が約２Ｎ以上である。このような適合周長力を有することにより、弾性ベルトはたるみ及び漏れを防ぐ良好なフィット性を与える。
【００４６】
理論に束縛されるものではないが、約２Ｎ以上の最小適合周長力と組み合わせて、約７Ｎ以下の比較的小さな伸長周長力を有することによって、弾性ベルト領域が適用容易になり、確実であるが柔らかいフィット性が与えられ得ると考えられる。理論に束縛されるものではないが、上述の伸長周長力及び適合周長力を提供することにより、本発明のパンツタイプの物品は、物品を触った際、適用した際、及び着用した際に、ユーザに総合的に満足のいく触感をもたらすと考えられる。
【００４７】
１．物品全体力測定法
ＭＴＳ  Ｃｒｉｔｅｒｉｏｎ  Ｃ４２  ｒｕｎｎｉｎｇ  ＴｅｓｔＷｏｒｋｓ  ４  Ｓｏｆｔｗａｒｅ（ＭＴＳ  ＳＹＳＴＥＭＳ（中国）ＣＯ．，ＬＴＤから入手可能）、又は同等の機器などのコンピュータインターフェースを備えた、電気式引張試験機を使用して、パンツタイプ物品の力を測定する。試験される試料に対する力が、使用されるロードセルの能力の１０〜９０％になるように、ロードセルを選択する。機器は、メーカーの指示書に従って較正する。全ての試験は、２３±２℃及び相対湿度５０±５％に維持された室内で行われる。
【００４８】
引張試験機に、図５に示されるような、ハンガータイプの試料保持固定具３００を装着する。各固定具は、試験中に試料が滑るのを防ぐために、剛性で直線状の、ゴムでコーティングされた水平バー部分３０２を備える。水平バー部分のバーの外径（ゴムコーティングを含む）は１０．０ｍｍである。水平バー部分３０２の中央軸線は、全試験過程を通して平行で同一鉛直面内に保たれるように構成されている。基準周長は、次式によって決定される。
基準周長＝２×（Ｈ＋Ｄ＋πＤ／２）
式中、Ｈは水平バー部分３０２間の垂直方向ギャップであり、Ｄはバーの外径である。
【００４９】
機器は、以下の工程をこなすように設定される。
【００５０】
【表２】
2020527427.tif 000004
【００５１】
バーが物品の腰部開口部及び一方の脚部開口部を通るように、試料物品２０を上側の水平バー部分３０２上に挿入する。試験片が下側のバーの上方でぶら下がり、下側のバー３０２に触れなくなるまで、クロスヘッドを持ち上げる。ロードセルの風袋を差し引き、物品を伸張させずに下側のバー３０２を腰部開口部及び他方の脚部開口部に挿通させることができるように、クロスヘッドを下降させる。物品の長手方向中心線ＬＸが上側及び下側のバー３０２の真ん中で水平面内にあるように、物品を調整する。バー３０２と接触している側部部分の中心が、機器のロードセルと同じ垂直軸線上に位置するようにする。物品を必要に応じて手で適所に保持しつつ、不要な力が加わらないように注意しながら、力が０．０５〜０．１Ｎになるまでクロスヘッドをゆっくり持ち上げる。この時点での基準周長が初期基準周長である。試験を開始し、３０Ｎの力が得られるまでクロスヘッドを２５４ｍｍ／分で上方に移動させ、次いで同じ速度でクロスヘッドをすぐに初期基準周長に戻す。１９．６Ｎでの周長、及び試験の延伸セグメントにおける３０Ｎでの周長を記録する。
【００５２】
１９．６Ｎでの円周は、１９．６Ｎ周長（ｍｍ）として定義され、３０Ｎでの円周は、３０Ｎ周長（ｍｍ）として定義される。伸長周長力は、この試験の負荷（伸張）セグメント中の４７０ｍｍ伸長周長での力であると定義される。適合周長力は、この試験の負荷がかかっていない（収縮）セグメント中の４７０ｍｍ伸長周長での力であると定義される。
【００５３】
５つのサンプルを分析し、その平均初期基準周長、平均１９．６周長、平均３０Ｎ周長、平均伸長周長力、及び平均適合周長力を計算し、それぞれ最も近い１ｍｍ又は０．０１Ｎ単位で記録する。
【００５４】
２．物品の寸法測定
この測定用の試料を得るために、物品のサイドシーム３２を開き、物品全体の身体に面する側面を、フック材又は両面テープ材料によって、非透明背板の表面上に取り付ける。背板は、物品の全領域を支持するのに十分な大きさであるべきである。取り付けするとき、任意の弾性材がその「最大伸張状態」に伸張され、いかなる材料の破損も観察されない限り、以下の条件ａ）〜ｃ）が満たされる。
ａ）サイドシームは真っ直ぐである。
ｂ）中央シャーシ又はベルト弾性領域にしわは存在しない。
ｃ）長手方向軸ＬＸを基準として物品の左部分及び右部分は対称である。
【００５５】
大部分の物品では、前側及び後側弾性ベルト領域は、上記の条件を満たすために、上記の「物品全体力測定」下で測定される「３０Ｎ周長」まで伸張され得る。上記の条件が満たされる伸張のレベルに達する前に、なんらかの材料の破損が観察された場合、材料がまだ破損していない最大伸張点は、「最大伸張状態」と見なされる。材料の破損には、不織布材料の分解、弾性ストランドの破断などを挙げることができる。
【００５６】
測定されるものは、サンプルの以下の寸法であり、寸法の一部は、物品の輪郭に応じて別様に測定される。図３Ａ〜３Ｃは、寸法がどのように測定されるかを説明するための代表的な物品の輪郭であり、本発明の物品の輪郭を網羅的に列挙することを意図するものではない。例えば、物品は、図３Ｂのベルト領域の輪郭及び図３Ｃの股部領域の輪郭を取り得る。サンプルの身体に面する側面は、背板に取り付けられ、したがって見えないが、図３Ａ〜３Ｃは、以下の寸法を説明するために身体に面する側面を表している。
【００５７】
寸法は、１ｍｍ単位で記録される。５つのサンプルが測定され、それらの平均が取得される。
【００５８】
Ｌ１：股部領域の横断方向長さは、図３Ａ〜３Ｃに示される股部領域の最小横断方向長さである。
【００５９】
Ｌ２：前側股部領域の長手方向長さは、図３Ｃに示すように、Ｌ１を得るために描かれた仮想線（以下、「股部仮想線」）と、前側弾性ベルト領域の近位縁部との間の長手方向長さである。
【００６０】
Ｌ３：後側股部領域の長手方向長さは、図３Ｃに示すように、股部仮想線と、後側弾性ベルト領域の近位縁部との間の長手方向長さである。
【００６１】
Ｌ４：有効ベルト幅は、図３Ａ〜３Ｃに示すように、後側弾性ベルト領域の最大横断方向幅である。
【００６２】
Ｌ５：前側ベルト長さは、図３Ａ〜３Ｃに示すように、前側弾性ベルト領域の最大長手方向長さである。前側ベルト長さの全体が継ぎ合わされるとき、Ｌ５はシーム長とも称され得る。
【００６３】
Ｌ６：後側ベルト長さは、図３Ａ〜３Ｃに示すように、後側弾性ベルト領域の最大長手方向長さである。
【００６４】
Ｌ７：股部領域の長手方向長さは、図３Ａ及び３Ｃに示すように、前側弾性ベルト領域の近位縁部と後側弾性ベルト領域の近位縁部との間の長手方向長さである。図３Ｃでは、Ｌ７はＬ２とＬ３との和に等しい。
【００６５】
Ｌ８：前側配置距離は、図３Ａ〜３Ｃに示すように、前側腰部開口部と中央シャーシの前側遠位縁部との間の長手方向長さである。
【００６６】
Ｌ９：後側配置距離は、図３Ａ〜３Ｃに示すように、後側腰部開口部と中央シャーシの後側遠位縁部との間の長手方向長さである。
【００６７】
Ｌ１０：外側脚部弾性材間隔は、股部仮想線上に配置された最も外側の脚部弾性材の間の横断方向長さである。図３Ａ及び３Ｂに示すように長手方向に延在する脚部弾性材を有する物品の場合、Ｌ１０は股部領域のどこで測定されてもよい。股部領域で急激に湾曲した脚部弾性材を有する物品の場合、図３Ｄに示すように、最も外側の脚部弾性材と股部仮想線との交点Ｎ１とＮ１’との間の横断方向長さが測定される。股部領域において急性に湾曲している脚部弾性材を有し、最も外側の脚部弾性材と股部仮想線が交差しない物品の場合、仮想接線が、脚部弾性材のうちの最も凸状の部分から描かれ、次に、垂直線が、図３Ｅのように、接触点から股部仮想線に対して描かれ、仮想交点Ｎ２とＮ２’との間の横断方向長さが測定される。
【００６８】
Ｌ１１：最小ベルト幅は、図３Ｂに示すように、後側弾性ベルト領域の最小横断方向幅である。記載されていないが、このような最小ベルト幅Ｌ１１もまた、前側弾性ベルト領域上に存在してよい。
【００６９】
Ａ３：後側弾性ベルト領域面積は、後側弾性ベルト領域面積が図３Ａ及び３Ｃに示すように矩形であるとき、式：Ｌ４×Ｌ６によって得られる。図３Ｂに示すような輪郭を取る後側弾性ベルト領域の場合、面積は、近似的な除去面積を差し引くことにより得られ、すなわち、式：Ｌ４×Ｌ６−（Ｌ４−Ｌ１１）×（Ｌ６−Ｌ５）によって得られる。
【００７０】
Ａ２：股部領域面積は、中央シャーシが図３Ａ及び３Ｂに示すように矩形であるとき、式：Ｌ１×Ｌ７によって得られる。図３Ｃに示すように矩形でない股部領域面積の場合、面積は、近似的な面積を想定することにより得られ、すなわち、式：（Ｌ２＋Ｌ３）×（Ｌ４＋Ｌ１）によって得られる。
【００７１】
Ａ１：前側弾性ベルト領域面積は、前側弾性ベルト領域面積が図３Ａ〜３Ｃに示すように矩形であるとき、式：Ｌ４×Ｌ５によって得られる。図３Ｂの後側弾性ベルト領域と同様の輪郭を取る前側弾性ベルト領域の場合、面積は、Ａ３について上で説明したのと同様の方法で近似的な除去面積を差し引くことによって得られる。
【００７２】
３．ベルト区域引張り応力測定法
本明細書における区域引張り応力測定は、前側ベルト及び後側ベルトが環状弾性ベルトを形成し、内側シートと外側シートとの間に挟まれた弾性体の全てが、互いに略平行な横断方向に延びる物品に関する。
【００７３】
引張り応力（Ｎ／ｍ）は、張力（Ｎ）を試験片の長手方向長さ（ｍ）で割ることによって計算される。ＴｅｓｔＷｏｒｋｓ  ４  Ｓｏｆｔｗａｒｅ（ＭＴＳ  ＳＹＳＴＥＭＳ社（ＭＴＳ  ＳＹＳＴＥＭＳ  ＣＯ．，ＬＴＤ）（中国）から入手可能）を実行するＭＴＳ  Ｃｒｉｔｅｒｉｏｎ  Ｃ４２などのコンピュータインターフェースを備えた電子応力試験機、又は同等の機器を使用して、力を測定する。試験される試料に対して得られる力が、ロードセルの能力の１０〜９０％になるように、ロードセルを選択する。機器は、メーカーの指示書に従って較正する。全ての試験は、２３±２℃及び相対湿度５０±５％に維持された室内で行われる。機器は、少なくとも試験片と同じ幅を有する単線接触型グリップを装備している。
【００７４】
試験片を得るために、前側及び後側ベルトがサイドシーム領域を除去することなく互いに剥離され、前側及び後側弾性ベルトが、腰部ベルトと中央シャーシとの間の結合を分離することによって中央シャーシ３８から取り外されるような方法で、試料物品が両方のサイドシームで開放される。ベルト部分にしわを作らないように留意して、コールドスプレーを使用してもよい。いずれのベルト状弾性体９６にもスプレーをかけないように留意する。得られた前側及び後側ベルト８４、８６は、いずれの弾性体９６も切断しないように注意して、上記で定義されたように区域１０２Ｆ、１０４Ｆ、１０６Ｆ、１０８Ｆ、１０２Ｂ、１０５Ｂ、及び１０８Ｂへと切り離される。試験に先立って、試料は２３±２℃及び相対湿度５０±５％で２時間、調湿処理される。一般的な金属定規を用いて各試験片の長手方向長さを１ｍｍ単位で測定する。長手方向の長さとは、図４Ａ及び４Ｂにおける寸法１０２Ｆ、１０４Ｆ、１０６Ｆ、１０８Ｆ、１０２Ｂ、１０５Ｂ、及び１０８Ｂを意味する。
【００７５】
機器は、以下の工程をこなすように設定される。初期基準長を、上述したように、別個の同一の物品を使用して物品全体力試験中に決定される初期基準周長から計算する。初期基準長は、初期基準周長の５０％として定義される。最終基準長は、上述したように、物品全体力試験中に決定される１９．６Ｎ周長から計算される。
【００７６】
【表３】
2020527427.tif 000005
【００７７】
試験片の一端を、サイドシーム領域を用いて上側クランプに固定し、荷重の重量を差し引く。サイドシーム領域のみがグリップの接触線の後ろにくるように、試験片の他端を、サイドシーム領域を更に用いて下側クランプに固定する。試験を開始し、試験片を、２５４ｍｍ／分のクロスヘッド速度で最終基準長まで延伸させ、その後すぐに、同じ速度で初期基準長まで戻す。試験中、試験片は物品横断方向に延伸させる。試験の負荷解除セグメント中に最終基準長の７０％になったときの負荷解除力を記録する。
【００７８】
５つの物品を分析し、前側及び後側区域１０２Ｆ、１０４Ｆ、１０６Ｆ、１０８Ｆ、１０２Ｂ、１０５Ｂ、及び１０８Ｂのそれぞれに対して負荷解除力を記録する。その区域の前側及び後側の試験片を含む各区域に対して、平均張力（Ｎ）を計算し、０．０１Ｎ単位の概数にする。各区域に対する引張り応力を、平均張力（Ｎ）を平均長手方向長さ（ｍ）で割ることによって計算し、０．１Ｎ／ｍ単位で報告する。
【実施例】
【００７９】
実施例１〜２及びＡ〜Ｃは、このようにして得られ、上記のように測定を受ける。
【００８０】
実施例１：図４Ａの構成及び以下の表１の弾性プロファイルを有するサイズ４（Ｌサイズ）ベルトタイプパンツ物品。
【００８１】
実施例２：図４Ｂの構成及び以下の表１の弾性プロファイルを有するサイズ４（Ｌサイズ）ベルトタイプパンツ物品。
【００８２】
実施例Ａ：２０１６年に中国市場で購入したロット番号６３４１２０２２００２０１６１２０６、及びドイツで２０１７年７月に製造された国内生産番号＃７５１９＿９４２を有する「Ｐａｍｐｅｒｓ  Ｐａｎｔｓ  Ｌ  ｓｉｚｅ  ｉｍｐｏｒｔｅｄ  ｆｒｏｍ  Ｊａｐａｎ」の商品名で販売されているサイズ４（Ｌサイズ）ベルトタイプパンツ物品。
【００８３】
実施例Ｂ：２０１６年にインド市場で購入したロット番号Ｇ１６−Ａ４５５９８−００６を有する「Ｍａｍｍｙ  Ｐｏｋｏ  Ｅｘｔｒａ  Ａｂｓｏｒｂ  Ｎｅｗ  Ｃｒｉｓｓｃｒｏｓｓ」の商品名で販売されているサイズ４（Ｌサイズ）ベルトタイプパンツ物品。
【００８４】
実施例Ｃ：２０１６年に中国市場で購入したロット番号２０１７０２０４Ｄ２６５３を有する「Ｍａｍｍｙ  Ｐｏｋｏ  Ｆａｓｈｉｏｎ  Ｂｏｙ  Ｐａｎｔｓ」の商品名で販売されているサイズ４（Ｌサイズ）ベルトタイプパンツ物品。
【００８５】
実施例Ｄ：２０１７年６月にドイツで製造された番号＃７５１９＿９４２を有る国内生産の、外側シート、内側シート、及び外側カバー層のためにより低いｇｓｍの材料を使用しているが、実施例Ａと同じ寸法及び弾性プロファイルを有するサイズ４（Ｌサイズ）ベルトタイプパンツ物品。
【００８６】
【表４】
2020527427.tif 000006
（＊１）表１の腹部カットとは、中央シャーシと重なる弾性ストランドの中央領域における弾性の除去を指し、６６％有効長の弾性をもたらす。
【００８７】
物品寸法は、本明細書の物品寸法測定法に従って測定し、実施例１−２及びＡは図３Ａに従って測定し、実施例Ｂ及びＣを図３Ｂに従って測定した。実施例１−２及びＡ〜Ｃについて、本明細書の物品全体力測定法による力パラメータを測定した。測定結果は表２に示す。
【００８８】
【表５】
2020527427.tif 000007
【００８９】
本発明の実施例１及び２の物品は、全体的に良好なフィット性、下着のような外観、脚部における良好なフィット性、及び良好な通気性を提供する。
【００９０】
消費者許容試験
試験１
少なくともパンツ３枚／週の頻度でサイズ４のパンツ型おむつを使用する乳児の介護者であり、試験期間中にパンツ１枚／日及びパンツ１枚／夜間を使用する意志があり、主なブランドの使用経験が様々である５３人の官能試験員を募集した。男児及び女児の介護者の数は等しくされた。各官能試験員に、最初に５日間使用の１つの製品を与え、次いで別の５日間使用の別の製品を与えた。官能試験員のおよそ半分に実施例２を最初に与え、他の半分に実施例Ｄを最初に与えた。２つの製品の使用を終えた後、各官能試験員に、どの製品が全体的に良好であったか、又は好むものがなかったかについて尋ねた。５３人の官能試験員の評価が表３にパーセンテージで記録されている。
【００９１】
【表６】
2020527427.tif 000008
（＊１）９０％のリスクで実施例Ｄと比較して統計的に有意
【００９２】
試験２
サイズ４のパンツ型おむつを使用し、主要なブランドの使用経験が様々である、乳児の介護者であった３０人の各官能試験員を募集した。男児及び女児の介護者の数は等しくされた。各官能試験員に、最初に５日間使用の１つの製品を与え、次いで別の５日間使用の別の製品を与えた。官能試験員のおよそ半分に実施例１を最初に与え、他の半分に実施例Ａを最初に与えた。２つの製品の使用を終えた後、各官能試験員に、どの製品が全体的なフィット性の点で良好であったか、又は好むものがなかったかについて尋ねた。３０人の官能試験員の評価が表４にパーセンテージで記録されている。
【００９３】
【表７】
2020527427.tif 000009
【００９４】
本明細書において開示された寸法及び値は、列挙された正確な数値に厳密に限定されるものとして理解されるべきではない。代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することを意図する。更に、本明細書全体を通して与えられるあらゆる数値範囲は、かかるより広い数値範囲内に入るあらゆるより狭い数値範囲を含む。
【００９５】
相互参照される又は関連特許若しくは出願のいずれをも含めた、本明細書に引用されている全ての文書は、明示的に除外される、又は特に限定されない限り、その全体が本明細書に参照として組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００９６】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲において網羅することを意図したものである。
【図１】
2020527427.tif 000010
【図２】
2020527427.tif 000011
【図３Ａ】
2020527427.tif 000012
【図３Ｂ】
2020527427.tif 000013
【図３Ｃ】
2020527427.tif 000014
【図３Ｄ】
2020527427.tif 000015
【図３Ｅ】
2020527427.tif 000016
【図４Ａ】
2020527427.tif 000017
【図４Ｂ】
2020527427.tif 000018
【図５】
2020527427.tif 000019
【国際調査報告】
2020527427.tif 000020
2020527427.tif 000021